(57)【特許請求の範囲】
【請求項１】
電子機器、機械装置等、ハードウェア、ソフトウェア又はシステム装置（以下、「システム装置等」という）の操作方法の説明図であって、それぞれ固有の地名・施設名・駅名又は停留所名を表す所定数のロケーションシンボルと、それぞれ固有の機能カテゴリを表す所定数のカテゴリシンボルであって前記ロケーションシンボルと一対一に関連付けて描かれた所定数のカテゴリシンボルと、前記機能カテゴリに属する機能のメニューを表すメニューシンボルであって当該機能カテゴリに対応する前記カテゴリシンボルに関連付けて描かれたメニューシンボルと、当該メニューの操作方法を説明するために前記メニューシンボルに付随して描かれた説明エリアとで構成された説明図。
【請求項２】
前記説明図において、主線及び主線上の所定数の位置から派生する派線が更に描かれており、
前記所定数の位置の夫々には、一対一に関連付けられた前記ロケーションシンボルと前記カテゴリシンボルとのペアが配置されており、
前記メニューシンボルは、当該メニューシンボルに関連付けられた前記カテゴリシンボルから延びる前記派線上に位置している
請求項１に記載の説明図。
【請求項３】
前記主線は、略ループ形状である、請求項２に記載の説明図。
【請求項４】
前記説明図は、鉄道路線図を模した説明図であって、
前記複数のロケーションシンボルは、実在の駅名で表されており、
前記主線及び前記複数の派線は、鉄道路線を模して表されている、
請求項２又は３に記載の説明図。
【請求項５】
前記主線は、山手線を模したものであり、前記ロケーションシンボルは、山手線の駅名である請求項４に記載の説明図。
【請求項６】
前記ロケーションシンボルは、固有の地名・施設名・駅名又は停留所名を少なくとも含んでいる、
請求項１乃至請求項５のいずれかに記載の説明図。
【請求項７】
前記システム装置等は、携帯電話機である、請求項１乃至請求項６のいずれかに記載の説明図。
【発明の詳細な説明】
【技術分野】
【０００１】
本発明は、電子機器や機械装置等、自動車等、ハードウェア若しくはソフトウェア、又はシステム装置等の操作方法の説明図、又は設備・建造物のメンテナンス等の手順の説明図に関する。
【背景技術】
【０００２】
従来、ハードウェアやソフトウェア、システム装置等の取扱説明書として、本等のような冊子タイプのものが一般的に利用されている。また、一般的な冊子タイプの説明書に改良を加えたものとして、特許文献１に開示されているものがある。
【０００３】
【特許文献１】特開２００３−２１１８６７号公報
【発明の開示】
【発明が解決しようとする課題】
【０００４】
近年、ハードウェアやソフトウェア、システム装置等の多機能化・複雑化に伴い、冊子タイプの取扱説明書のページ数が増加する傾向にある。このような取扱説明書では、ユーザが所望の操作を行う場合、多くのページの中からその操作方法が説明されているページを探さなければならない。また、その操作を忘れてしまった場合にも、再度そのページを探す手間がかかってしまい大変不便である。更に、従来の取扱説明書では、全ページを見ない限り全機能の操作方法がわからない。そのため、ユーザにとっては、自分のハードウェアやソフトウェア、システム装置等に内蔵・包含されている機能全ての操作方法が把握しづらく、結局、一部の機能のみしか使うことができないという問題がある。
【０００５】
そこで、本発明は、所望の操作方法を迅速に探すことができ、一度覚えた操作を忘れてしまった場合でもすばやく再確認することができ、ハードウェアやソフトウェア、システム装置等の有するすべての機能を簡単に把握することができる取扱説明書を提供することを目的とする。
【課題を解決するための手段】
【０００６】
本発明は、従来の冊子タイプのものとは異なった方法により、ハードウェアやソフトウェア、システム装置等の有する機能の操作方法を説明するものである。実在する地名、駅名、路線図等の地図を利用し、その地図上の場所又は位置情報と機能の操作方法に関する情報とを関連・連想させ、ユーザが、俯瞰的に所望の機能の情報を探し出すことができるものである。また、一度覚えた機能を忘れた場合でも、その機能の説明と地図上の地名等をリンクして覚えることで、当該機能の説明が書かれている箇所を特定することができるものである。
【０００７】
即ち、本発明によれば、第１の説明図として、電子機器、機械装置等、ハードウェア、ソフトウェア又はシステム装置（以下、「システム装置等」というの操作方法の説明図であって、それぞれ固有の地名・施設名・駅名又は停留所名を表す所定数のロケーションシンボルと、それぞれ固有の機能カテゴリを表す所定数のカテゴリシンボルであって前記ロケーションシンボルと一対一に関連付けて描かれた所定数のカテゴリシンボルと、前記機能カテゴリに属する機能のメニューを表すメニューシンボルであって当該機能カテゴリに対応する前記カテゴリシンボルに関連付けて描かれたメニューシンボルと、当該メニューの操作方法を説明するために前記メニューシンボルに付随して描かれた説明エリアとで構成された説明図が得られる。
【０００８】
また、本発明によれば、第２の説明図として、第１の説明図において、前記説明図において、主線及び主線上の所定数の位置から派生する派線が更に描かれており、前記所定数の位置の夫々には、一対一に関連付けられた前記ロケーションシンボルと前記カテゴリシンボルとのペアが配置されており、前記メニューシンボルは、当該メニューシンボルに関連付けられた前記カテゴリシンボルから延びる前記派線上に位置している、説明図が得られる。
【０００９】
また、本発明によれば、第３の説明図として、第２の説明図において、前記主線は、略ループ形状である、説明図が得られる。
【００１０】
また、本発明によれば、第４の説明図として、第２又は第３の説明図において、前記説明図は、鉄道路線図を模した説明図であって、前記複数のロケーションシンボルは、実在の駅名で表されており、前記主線及び前記複数の派線は、鉄道路線を模して表されている、説明図が得られる。
【００１１】
また、本発明によれば、第５の説明図として、第４の説明図において、前記主線は、山手線を模したものであり、前記ロケーションシンボルは、山手線の駅名である、説明図が得られる。
【００１２】
また、本発明によれば、第６の説明図として、第１乃至第５のいずれかの説明図において、前記ロケーションシンボルは、固有の地名・施設名・駅名又は停留所名を少なくとも含んでいる説明図が得られる。
【００１３】
また、本発明によれば、第７の説明図として、第１乃至第６のいずれかの説明図において、前記システム装置等は、携帯電話機である、説明図が得られる。
【発明の効果】
【００１４】
本発明によれば、ハードウェア／ソフトウェアの有する全機能の操作方法に関する情報を俯瞰的に探すことができる。更に、一度見た情報を地図上の地名等と関連付けて覚えることで、情報を再度探す場合でもすばやく見つけることができる。
【発明を実施するための最良の形態】
【００１５】
図１は、携帯電話の操作方法を説明する場合の本発明の実施の形態を示す図である。図２は、よりよい理解のために、図１における携帯電話の機能を限定し且つ略化して示したものである。以下、図１を参考にしながら本発明の実施の形態を説明する。図１は、山手線の路線図を模した携帯電話１の操作方法の説明図である。携帯電話１は、複数の機能カテゴリを持ち、夫々の機能カテゴリは少なくとも１つ以上のメニューを有している。
【００１６】
図２において、６つの山手線の駅名（上野、神田、新橋、大崎、恵比寿、巣鴨）が、シンボル化されロケーションシンボルとして主線１０上に配置されている。各ロケーションシンボルの下には夫々携帯電話１の機能カテゴリ名（基本機能、アドレス帳、メール、カメラ、ＷＥＢ、その他）がシンボル化されカテゴリシンボルとして配置されている。本実施の形態において、ロケーションシンボルとカテゴリシンボルは一対のシンボルペアとして配置される。各カテゴリシンボルからは派線１１が延びている。派線１１上には、夫々の機能カテゴリに属するメニュー名がシンボル化され、メニューシンボルとして配置されている。更に、各メニューシンボルに隣接して、夫々のメニューの機能の操作方法が記載された説明エリアが配置されている。
【００１７】
以下、携帯電話１の機能カテゴリ『アドレス帳』を例にとって詳細に説明する。携帯電話１は機能カテゴリ『アドレス帳』を有しており、『アドレス帳』には『アドレス帳へ登録』及び『アドレス帳を編集』というメニューが属しているものとする。
【００１８】
図１において、機能カテゴリ『アドレス帳』を表すカテゴリシンボル２０は、駅名『神田』を表すロケーションシンボル３０に隣接して配置され、シンボルペア４０として表されている。カテゴリシンボル２０からは、派線１１が図の外に向かって延びている。派線１１上には、『アドレス帳へ登録』及び『アドレス帳の編集』を表すメニューシンボル５０ａ及び５０ｂが夫々配置されている。更に、メニューシンボル５０ａに隣接して、説明エリア６０ａが配置されており、説明エリア６０ａには、電話番号等をアドレス帳へ登録するための携帯電話１の操作方法の説明が記載されている。同様に、メニューシンボル５０ｂに隣接して説明エリア６０ｂが配置されており、説明エリア６０ｂには、アドレス帳に登録済みの電話番号等の書き換えや追加をするための携帯電話１の操作方法の説明が記載されている。
【００１９】
続いて、本発明の実際の使い方について、携帯電話１のユーザが電話番号をアドレス帳へ登録する操作の方法を知りたい場合を例にとって説明する。ユーザは、まず、主線１０上の機能カテゴリからロケーションシンボル３０を見つけ、そこから派線１１をたどることにより、一つ目のメニューシンボル５０ａにたどり着く。そして、説明エリア６０ａの説明を読むことで、電話番号をアドレス帳へ登録する操作ができる。
【００２０】
また、電話番号をアドレス帳へ登録する操作の方法を忘れてしまった場合でも、『アドレス帳＝神田』というように、機能カテゴリからその機能カテゴリとペアをなす駅名を連想し、以前見た『神田から派線を少したどったところにメニュー『アドレス帳へ登録』がある』という説明図上での位置情報をイメージすることにより、すばやくアドレス帳へ登録する操作方法の説明にたどり着くことができる。
【００２１】
このように、本発明によれば、実在する駅名と携帯電話の機能カテゴリ及びメニューを関連させて表示することにより、初めて操作方法を探す場合でも、俯瞰的に必要な情報を見つけ出すことができる。一般に、ユーザが普段使っている路線の路線図や認知度の高い路線図（例えば、山手線等）のように、既にユーザが地理的情報を記憶している地図から駅名等を探すことは容易である。本発明は、この既に記憶している地理的情報にシステム装置等の操作方法を関連させるものである。このため、一度覚えた操作方法を忘れてしまったときであっても、操作方法と駅名との関係のみ覚えているだけで、その駅名を見慣れた路線図からすばやく探し、覚えた情報を再確認できる。
【００２２】
本発明は、冊子タイプのように、目次や索引等で探したい情報がどのページに記載されているかを探し、更にページを何回もめくるという動作が必要ない。更に、冊子タイプの説明書では、通常、一度見た説明が記載されているページのページ番号を記憶しているユーザはいないため、操作方法を忘れてしまった場合、もう一度目次等を確認してページをめくり情報を再確認しなければならないが、本発明ではそのような必要もない。このため、機械操作の苦手なユーザにとっても楽に携帯電話の機能の全てを使いこなすことができるようになる。
【００２３】
なお、上述した実施の形態においては、山手線の路線図を模したもので説明をしたが、本発明は山手線や略ループ上の路線図に限定される物ではなく、例えば中央線や新幹線の経路のような略直線状の路線図、バスの路線図、地下鉄マップのような略メッシュ状の路線図、首都高速道路網のような放射状ネットワーク図、一般地図等の地図上で特定の場所が認知できるものであればなんでもよい。この場合、ユーザの身近にある駅名や施設名等の方がより簡単にイメージすることができるため、ユーザにとって身近な路線図や認知度の高い地図等を使うことが好ましい。
【００２４】
また、上述した説明図は携帯電話の機能の操作方法の説明する説明図であったが、携帯電話以外のシステム装置等の操作方法の説明に関するものであってもよいし、種々の手順の説明に関するものであっても良い。
【００２５】
更に、本発明による説明図を従来の小冊子形式のマニュアルと組み合わせ、当該小冊子形式のマニュアルの頁番号を該当するメニューシンボルに近接して表示することとしてもよい。このように小冊子形式のマニュアルのページ番号をメニューシンボルに付記することにより、小冊子形式のマニュアルの内容を俯瞰的に示す目次としての機能を説明図に付加することができる。
【図面の簡単な説明】
【００２６】
【図１】本発明の実施の形態による説明図の概略を示す図である。
【図２】図１に示される説明図を簡略化してなる図である。
【符号の説明】
【００２７】
１  携帯電話
１０  主線
１１  派線
２０  カテゴリシンボル
３０  ロケーションシンボル
４０  シンボルペア
５０ａ、５０ｂ  メニューシンボル
６０ａ、６０ｂ  説明エリア
【図１】
0004848326.tif 000002
【図２】
0004848326.tif 000003